(57)【特許請求の範囲】
【請求項１】
外壁部と該外壁部の内周側に設けられた段状の第１凹部と第２凹部及び、該第１凹部と該第２凹部との間に設けられた段部とを有する第１ハウジングと、該第１ハウジングの第１凹部内に配設された固定接点と、該固定接点の上部に配設された可動接点と、該可動接点を操作するための第１の押圧部材と、前記第１凹部を塞ぐように前記第２凹部内に配置され、前記第１ハウジングの前記段部に配置された防水部材と、第２の押圧部材を取り付け、鍔部を有する第２ハウジングとを備え、前記第２凹部内に前記第２ハウジングの鍔部が収容されて前記段部との間で前記防水部材を挟み込み、前記第１ハウジングの前記外壁部の全周を前記第２ハウジングの前記鍔部側に変形して、押さえ部を形成し、該押さえ部によって前記鍔部を介して前記防水部材を前記段部側に弾圧させたことを特徴とする押釦スイッチ。
【請求項２】
前記第２ハウジングの前記鍔部の下面に突条を形成し、該突条により前記防水部材を押し付けることを特徴とする請求項１記載の押釦スイッチ。
【請求項３】
シート状のインシュレータが、前記防水部材の下面側に設けられ、前記インシュレータが、前記段部上に配置され、前記インシュレータと前記防水部材とが前記押さえ部によって前記鍔部を介して前記段部側に弾圧されたことを特徴とする請求項１記載の押釦スイッチ。
【発明の詳細な説明】
【０００１】
【発明の属する技術分野】
本発明は、押釦スイッチに関し、特に、防水加工された押釦スイッチに関する。
【０００２】
【従来の技術】
従来の押釦スイッチについて図面を用いて説明する。
図４は、従来の押釦スイッチを示す正面図、図５は、従来の押釦スイッチを示す平面図、図６は、従来の押釦スイッチを示す断面図である。
【０００３】
図４〜図６に示すように、第１ハウジング１０は、絶縁合成樹脂材料を成形加工して、略矩形に形成し、四方を囲む側壁１０ａと、底壁１０ｂと、上面の中央部の円形の凹部１０ｃとを有する。また、それぞれの側壁１０ａの上面には、幅広で所定の深さ寸法を有する溝部１０ｄと、側壁１０ａの上面のそれぞれの角部１０ｅには、上方に突出する円柱状の４個の凸部１０ｆが形成されている。
【０００４】
第１固定接点１１は、金属平板を切断・折り曲げ加工して略Ｌ字状に形成され、接点部１１ａと、端子部１１ｂとを有している。そして、この第１固定接点１１は、第１ハウジング１０にインサート成形され、接点部１１ａは、第１ハウジング１０の凹部１０ｃの中央部に表面が露出した状態で配設され、端子部１１ｂは、第１ハウジング１０のひとつの側壁１０ａの側面から側壁１０ａに沿って下方に突出して配設されている。この第１ハウジング１０にインサート成形された第１固定接点１１は、第１ハウジング１０に配設されている。
【０００５】
第２固定接点１２は、金属平板を切断・折り曲げ加工して略Ｌ字状に形成し、接点部１２ａと、端子部１２ｂとを有している。そして、この第２固定接点１２は、第１ハウジング１０にインサート成形されて、接点部１２ａは、第１ハウジング１０の凹部１０ｃの中央部に表面が露出した状態で配設された前記第１固定接点１１の接点部１１ａを挟むように凹部１０ｃの内周縁部に近接し、且つ、表面が露出した状態で配設され、端子部１２ｂは、第１ハウジング１０の側壁から側壁に沿って下方に突出して配設されている。
【０００６】
可動接点１３は、弾性金属平板を切断・押し出し加工にて、ドーム状に形成されている。この可動接点１３は、第１ハウジング１０の凹部１０ｃ内に配置され、可動接点１３の周縁部は、第２固定接点１２の接点部１２ａに当接され、且つ、可動接点１３は、第１固定接点１１の接点部１１ａを覆うような状態で配置されている。
【０００７】
第１ステム１４は、絶縁合成樹脂材料を成形加工し、略円盤状であって、小径部１４ａと、小径部１４ａの下方に連設された大径部１４ｂと、大径部１４ｂから下方に突出した押圧部１４ｃとを有している。この第１ステム１４は、ドーム状の可動接点１３の頂点部に押圧部１４ｃが当接した状態で配置されている。
【０００８】
インシュレータ１５は、シート状の例えば、ポリイミド樹脂材料などから成り、略十字形に形成されている。このインシュレータ１５は、第１ハウジング１０の側壁１０ａの上面の溝部１０ｄ内に載置され、且つ、凹部１０ｃを塞ぐと共に、第１ステム１４の小径部１４ａの上面に当接された状態で配置されている。
【０００９】
防水部材１６は、シート状のゴム材料（例えば、ＥＰＤＭ材料）から成り、略十字形に形成されている。この防水部材１６は、インシュレータ１５の上に重ね合わせられて、第１ハウジング１０の側壁１０ａの上面の溝部１０ｄ内に配置されている。
【００１０】
第２ハウジング１７は、絶縁合成樹脂材料を成形加工して、略矩形に形成し、四方を囲む側壁１７ａと、側壁１７ａに繋がれた上壁１７ｂとを有している。また、上壁１７ｂの中央部には、円形の小径孔１７ｃが形成され、この小径孔１７ｃの下方には、円形の大径孔１７ｄが形成されている。また、各側壁１７ａを含む、上壁１７ｂの四隅には、円弧状の切り欠き部１７ｅが側壁１７ａの下面の近傍まで設けられて、下端部の四隅に台座１７ｇが形成され、この台座１７ｇには、図３の上下方向に貫通された４個の孔１７ｆがそれぞれに設けられている。
【００１１】
この第２ハウジング１７は、側壁１７ａの下面が防水部材１６の上面に当接して配置され、この状態では、孔１７ｆに第１ハウジング１０の凸部１０ｆが挿通され、凸部１０ｆの先端が孔１７ｆから上方に突出されている。そして、孔１７ｆから上方に突出された凸部１０ｆの先端は、例えば、熱カシメなどでカシメられ、このカシメにて第１ハウジング１０に第２ハウジング１７が固着され、一体化されている。
【００１２】
第２ステム１８は、絶縁合成樹脂材料を成形加工して形成され、円柱状の押釦部１８ａと、押釦部１８ａの下端に設けられた鍔部１８ｂと、鍔部１８ｂの下方に突出して設けられた押圧部１８ｃとを有している。また、押圧部１８ｃは、円柱状の凸部１８ｄと、凸部１８ｄの側方に、例えば、１２０度の角度毎に配置された３個の支持部１８ｅとを有している。
【００１３】
この第２ステム１８は、押圧部１８ｃが、第２ハウジング１７の大径孔１７ｄ内に収納された状態で、押釦部１８ａが、小径孔１７ｃを貫通して外方（上方）に突出し、鍔部１８ｂの上面は、上壁１７ｂに当接され、第２ステム１８が第２ハウジング１７から外れることのない状態で配置されている。
【００１４】
また、この状態のとき、第２ステム１８の凸部１８ｄの先端面（下面）は、防水部材１６の上面に当接・配置されている。
【００１５】
次に、従来の押釦スイッチの動作について説明する。
この押釦スイッチは、第２ステム１８の押釦部１８ａを下方に押圧すると、第２ステム１８の凸部１８ｄが、防水部材１６とインシュレータ１５とのほぼ中央部を下方に押圧する。このインシュレータ１５が下方に押圧されるとインシュレータ１５に当接されている第１ステム１４が下方に押圧される。この押圧によって第１ステム１４の押圧部１４ｃが、ドーム状の可動接点１３を下方に押圧する。そして、可動接点１３が押圧されると可動接点１３が反転して可動接点１３の裏面が第１固定接点１１の接点部１１ａに当接される。この接点部１１ａへのに当接によって、第１固定接点１１と第２固定接点１２とは、可動接点３を介して導通されて押釦スイッチは、オンの状態となる。
【００１６】
この状態から、第２ステム１８の押釦部１８ａの下方への押圧力を解除すると、ドーム状の可動接点１３の反転復帰力によって、第１ステム１４の押圧部１４ｃが上方に押し上げられる。このとき、可動接点１３は、第１固定接点１１から離間してこの押釦スイッチは、オフの状態となる。その後、前述の動作とは、逆の順序にて動作し、第２ステム１８の押釦部１８ａが元の位置に戻る。
このようにして、第２ステム１８や第１ステム１４などを介して可動接点１３を押圧することによって、軽快にクリック動作を起こさせて、連続動作を繰り返すことが出来る。
【００１７】
次に、従来の押釦スイッチの第１ハウジング１０と第２ハウジング１７との組み立てについて説明する。
先ず、第１ハウジング１０の側壁１０ａの上面にインシュレータ１５と防水部材１６とを載置した状態で、第１ハウジング１０の凸部１０ｆに第２ハウジング１７の孔１７ｆを挿通させる。
この状態で、凸部１０ｆの先端部を例えば、熱カシメなどによって、押圧変形させ、この凸部１０ｆの押圧変形によって、第１ハウジング１０と第２ハウジング１７とが一体化される。
【００１８】
【発明が解決しようとする課題】
このように、従来の押釦スイッチでは、第１ハウジング１０と第２ハウジング１７とは、インシュレータ１５と防水部材１６とを挟み込んだ状態で、第２ハウジング１７の４個の孔１７ｆに第１ハウジング１０に設けられた円柱状の４個の凸部１０ｆを挿通させて、この凸部１０ｆの先端部をカシメによって、押圧変形することで第１ハウジング１０と第２ハウジング１７とを一体化させている。
【００１９】
しかしながら、第１ハウジング１０と第２ハウジング１７とは、４個の凸部１０ｆの押圧変形によって、一体化されていることから相互に隣り合う凸部１０ｆとの間には、ときとして押圧変形を行う際の押圧力のバラツキによって、歪みや僅かな隙間が生じる。そして、この歪みや隙間によって、インシュレータ１５と防水部材１６とを挟み込んだ第１ハウジング１０と第２ハウジング１７との間には、密着度の低い箇所が生じることがあり、この密着度の低い箇所は、充分な密閉が成されていないことからこの押釦スイッチの防水性に問題が生じることがある。
【００２０】
本発明は、以上の問題を解決するためのもので、その目的は、防水性の良好な押釦スイッチを提供することである。
【００２１】
【課題を解決するための手段】
本発明の押釦スイッチは、外壁部と該外壁部の内周側に設けられた段状の第１凹部と第２凹部及び、該第１凹部と該第２凹部との間に設けられた段部とを有する第１ハウジングと、該第１ハウジングの第１凹部内に配設された固定接点と、該固定接点の上部に配設された可動接点と、該可動接点を操作するための第１の押圧部材と、前記第１凹部を塞ぐように前記第２凹部内に配置され、前記第１ハウジングの前記段部に配置された防水部材と、第２の押圧部材を取り付け、鍔部を有する第２ハウジングとを備え、前記第２凹部内に前記第２ハウジングの鍔部が収容されて前記段部との間で前記防水部材を挟み込み、前記第１ハウジングの前記外壁部の全周を前記第２ハウジングの前記鍔部側に変形して、押さえ部を形成し、該押さえ部によって前記鍔部を介して前記防水部材を前記段部側に弾圧させたことである。
【００２２】
また、本発明の押釦スイッチは、第２ハウジングの鍔部の下面に突条を形成し、該突条により防水部材を押し付けることである。
【００２３】
また、本発明の押釦スイッチは、シート状のインシュレータが、防水部材の下面側に設けられ、インシュレータが、段部上に配置され、インシュレータと防水部材とが押さえ部によって鍔部を介して段部側に弾圧されたことである。
【００２４】
【発明の実施の形態】
以下、本発明の実施の形態の押釦スイッチについて図面を用いて説明する。
図１は、本発明の実施の形態の押釦スイッチを示す平面図、図２は、本発明の実施の形態の押釦スイッチを示す断面図である。
【００２５】
図１、図２に示すように、第１ハウジング１は、絶縁合成樹脂材料を成形加工して、略円柱状に形成され、上面側の中央部に設けられた円形状の２段状の凹部１ａと、凹部１ａの上面側から内方に突出する円環状の外壁部１ｂとを有する。また、凹部１ａは、上端側の大径である第２凹部１ｃと、下端側の小径である第１凹部１ｄとから成り、よって、第１凹部１ｄと第２凹部１ｃとの間に段部１ｅを備えている。
前記外壁部１ｂは、後述するように全周が押圧変形されて、外壁部１ｂにて押さえ部が形成されるように成っている。
【００２６】
固定接点２は、線状の金属材から成り、切断・折り曲げ加工して形成し、略Ｌ字状であって、接点部２ａと、端子部２ｂとを有している。そして、この固定接点２は、第１ハウジング１に複数本（例えば、２本）インサート成形され、接点部２ａは、第１凹部１ｄの底面に表面が露出した状態で、且つ相互に近接して配設され、端子部２ｂは、第１ハウジング１の底面の約１８０度離れて対向する位置から下方に突出して配設されている。
【００２７】
可動接点３は、例えば、リン青銅材などの弾性金属平板を切断・押し出し（プレス）加工にて、ドーム状に形成されている。この可動接点３は、第１ハウジング１の第１凹部１ｄ内に配置され、可動接点３の周縁部は、第１ハウジング１の第１凹部１ｄの底面に当接された状態で配置されている。この状態のとき、可動接点３は、２個の接点部２ａを覆うように配置されている。
【００２８】
第１ステム４は、絶縁合成樹脂材料を成形加工し、略円盤状であって、小径部４ａと、小径部４ａの下方に連設される大径部４ｂと、大径部１４ｂの下面から下方に突出した押圧部４ｃとを有している。また、押圧部４ｃの下端面は、円弧状に形成されている。この第１ステム４は、ドーム状の可動接点３の頂点部に押圧部４ｃが当接した状態で配置されている。
【００２９】
インシュレータ５は、例えば、ポリイミド樹脂材料などから成り、弾性を有し、略円形のシート状に形成されている。このインシュレータ５は、第１ハウジング１の第１凹部１ｄと第２凹部１ｃとの間の段部１ｅに載置され、第１凹部１ｄの上面を塞いだ状態で配置されている。
【００３０】
防水部材６は、ゴム材料（例えば、ＥＰＤＭ材料）などから成り、略円形のシート状に形成されている。この防水部材６は、インシュレータ５の大きさとほぼ同じ大きさに形成され、この防水部材６は、インシュレータ５の上に重ね合わせられて、第１ハウジング１の凹部１ａの段部１ｅ上に配置されている。従って、この防水部材６とインシュレータ５とによって、凹部１ａの第１凹部１ｄの上面が塞がれた状態で、防水部材６とインシュレータ５とが、第２凹部１ｃ内に配置されている。また、この状態のとき、インシュレータ５の下面に第１ステム４の小径部４ａの上端面が当接されている。
【００３１】
第２ハウジング７は、絶縁合成樹脂材料を成形加工して、略筒形に形成し、筒状の外壁７ａと、外壁７ａの上端に形成された上壁７ｂとを有している。また、外壁７ａの下端には、外壁７ａと直交する方向に形成された円環状の鍔部７ｃと、鍔部７ｃの下面に下方に突出する円環状の突条７ｄとが形成されている。また、上壁７ｂの中心部には、円形の孔７ｅが設けられている。
この第２ハウジング７の鍔部７ｃは、第１ハウジング１の第２凹部１ｃ内に配置され、鍔部７ｃの円環状の突条７ｄが、防水部材６の上面に食い込むように配置されている。
【００３２】
そして、第１ハウジング１の外壁部１ｂの全周を第２ハウジング７の鍔部７ｃ側に押圧変形して、外壁部１ｂによって押さえ部を形成し、この押さえ部によって、鍔部７ｃを介して防水部材６とインシュレータ５とを第１ハウジング１の段部１ｅ側に弾圧させている。そして、第１ハウジング１と第２ハウジング７とは一体化されている。
【００３３】
第２ステム８は、絶縁合成樹脂材料を成形加工して形成され、円柱状の押釦部８ａと、押釦部８ａの下端に設けられた円形状の鍔部８ｂと、鍔部８ｂの下端に設けられた押圧部８ｃとを有している。また、押圧部８ｃは、円柱状の凸部８ｄと、凸部８ｄの外周部に、例えば、９０度の角度毎（十字状に）に配置された４個の支持部８ｅとを有している。この第２ステム８は、第２ハウジング７内に収納され、押釦部８ａが、第２ハウジング７の孔７ｅに挿通されて、第２ハウジング７の上方に突出し、鍔部８ｂが、上壁７ｂの下面に当接し、押圧部８ｃの凸部８ｄの下面が、防水部材６の上面に当接した状態で配置されている。
【００３４】
次に、本発明の押釦スイッチの動作について説明する。
この押釦スイッチは、第２ステム８の押釦部８ａを下方に押圧すると、第２ステム８の凸部８ｄが、防水部材６とインシュレータ５とのほぼ中央部を下方に押圧する。インシュレータ５が、下方に押圧されると、インシュレータ５に当接されている第１ステム４が下方に押圧される。この押圧によって第１ステム４の押圧部４ｃが、ドーム状の可動接点３を下方に押圧する。そして、可動接点３が押圧されると可動接点３が反転して可動接点３の裏面がふたつの固定接点２とそれぞれ当接される。このようにして、ふたつの固定接点２は、可動接点３によって導通されて押釦スイッチは、オンの状態となる。
【００３５】
ここで、この状態から、第２ステム８の押釦部８ａの下方への押圧力を解除すると、ドーム状の可動接点３の反転復帰力によって、第１ステム４の押圧部４ｃが上方に押し上げられる。このとき、可動接点３は、ふたつの固定接点２から離間してこの押釦スイッチは、オフの状態となる。その後、前述の動作とは、逆の順序にて動作し、第２ステム８の押釦部８ａが元の位置に戻る。
このようにして、第２ステム８や第１ステム４などを介して可動接点３を押圧することによって、軽快にクリック動作を起こさせて、連続動作を繰り返すことが出来る。
【００３６】
次に、本発明の押釦スイッチの第１ハウジング１に第２ハウジング７を組み込む製造方法について説明する。
図３は、本発明の押釦スイッチの第１ハウジング１に第２ハウジング７を組み込む製造方法を説明するための説明図である。
なお、本発明の押釦スイッチについては、前述してあるので、同一構成については同符号を付与し、詳細な説明は省略してある。
【００３７】
図３に示すように、押圧装置２０は、略コ字状の保持腕部２１と、保持腕部２１の先端に配置された一対のピン２２と、各ピン２２に回転可能に取り付けられたローラ２３と、保持腕部２１を回転させるための回転軸２４とを有する。また、この押圧装置２０の下方に対向して支持台２５が配置されている。
【００３８】
そして、先ず、支持台２５に押釦スイッチを載置し、適宜手段で固定する。
次に、押釦スイッチの上方から押圧装置２０を押し下げて、押圧装置２０のローラ２３と押釦スイッチの円環状の外壁部１ｂとが当接するように押圧装置２０を配置する。次に、押圧装置２０の回転軸２４を押圧しながら回転させると、ローラ２３は外壁部１ｂの上面を押圧しながら回転する。従って、上下方向と回転方向との力を受けるローラ２３は、外壁部１ｂを順次、ローラ２３の進行方向に押し出しながら徐々に上方から押圧変形させ、押さえ部を形成する。
【００３９】
このように、外壁部１ｂは、一度に（瞬間的に）押し潰されるのではなく、小さな力を連続的に与えるので、外壁部１ｂだけを上方から順次押し潰し、第２ハウジング７の鍔部７ｃの上面に潰された肉部を覆うようにして、第１ハウジング１に第２ハウジング７を組み付ける。この組み付けによって、鍔部７ｃの突条７ｄが、防水部材６の上面に一層食い込むように配置される。
【００４０】
なお、上述の本発明の実施の形態では、第２ハウジングの鍔部を介して、インシュレータと防水部材とを段部側に弾圧させたが、これに限定されず、インシュレータを配設することなく、防水部材のみを段部側に弾圧させても良い。
また、なお、上述の本発明の実施の形態では、第２ハウジングの鍔部の下面に連続した円環状の突条を形成したが、これに限定されず、突条は、例えば、多角形状や切断部（途中が切れている）を有する形状であっても良い。
また、なお、上述の本発明の実施の形態では、第１、第２ハウジングを円形状に形成されたが、これに限定されず矩形であっても良い。
【００４１】
【発明の効果】
以上のように本発明の押釦スイッチは、第２凹部内に第２ハウジングの鍔部が収容されて段部との間で防水部材を挟み込み、第１ハウジングの外壁部の全周を第２ハウジングの鍔部側に変形して、押さえ部を形成し、該押さえ部によって鍔部を介して防水部材を段部側に弾圧させたことによって、第２ハウジングの全周において、外壁部と鍔部とが均一に当接されることから、外壁部の全周において安定した確実な密着状態に維持でき、防水性の優れた押釦スイッチを提供することが出来るという効果を奏する。
【００４２】
また、本発明の押釦スイッチは、第２ハウジングの鍔部の下面に突条が形成されており、該突条により防水部材を押し付けることから、この突条が防水部材に食い込んで防水効果が一層優れた押釦スイッチを提供することが出来る。
【００４３】
また、本発明の押釦スイッチは、防水部材の下面にシート状のインシュレータが配置されていることから、防水部材とインシュレータとで二重に重ねられたことによって防水効果が一層優れた押釦スイッチを提供することが出来る。
【図面の簡単な説明】
【図１】本発明の実施の形態の押釦スイッチを示す平面図である。
【図２】本発明の実施の形態の押釦スイッチを示す断面図である。
【図３】本発明の実施の形態の押釦スイッチの第１ハウジングに第２ハウジングを係合させる製造方法を説明するための説明図である。
【図４】従来の押釦スイッチを示す正面図である。
【図５】従来の押釦スイッチを示す平面図である。
【図６】従来の押釦スイッチを示す断面図である。
【符号の説明】
１  第１ハウジング
１ａ  凹部
１ｂ  外壁部（押さえ部）
１ｃ  第２凹部
１ｄ  第１凹部
１ｅ  段部
２  固定接点
２ａ  接点部
３  可動接点
４  第１ステム（第１押圧部材）
４ｃ  押圧部
５  インシュレータ
６  防水部材
７  第２ハウジング
７ａ  外壁
７ｃ  鍔部
７ｄ  突状
８  第２ステム（第２押圧部材）
８ａ  押釦部
８ｃ  押圧部
【図１】
0003803496.tif 000002
【図２】
0003803496.tif 000003
【図３】
0003803496.tif 000004
【図４】
0003803496.tif 000005
【図５】
0003803496.tif 000006
【図６】
0003803496.tif 000007